(57)【特許請求の範囲】
【請求項１】
記録紙に記録を行うための記録ヘッド及び該記録紙を挟持し、搬送するための搬送ローラ対を有する記録装置に用いられる記録紙であって、実質的に四角形であり、端部近傍に、該四角形を実質的に横断する断続的な切れ目からなり、該切れ目より端部寄りの外側部分と該切れ目より中央寄りの実質的に四角形の中央部分とを容易に切り離すことができるようにするためのミシン目を有する、該記録装置により記録を行うための記録紙において、
該中央部分が隣り合う辺を滑らかに接続している曲線状縁部を四方端部に有し、該外側部分が、１対の前記曲線状縁部の間に位置する直線部分を介して該中央部分と連結され、該直線部分を一辺とする長方形の形状を有しており、該直線部分に前記ミシン目が設けられており、該外側部分は該中央部分の２組の向かい合った２辺のうちの１組とミシン目を介して接続しており、該中央部分の向かい合った２辺の他の１組は他の記録紙と接続しておらず、該外側部分は記録が終了するまで該搬送ローラ対が記録紙を放さずに挟持するためのものであり、該２つの外側部分のいずれの側から搬送しても該中央部分全面に記録可能であることを特徴とする記録紙。
【請求項２】
前記ミシン目より端部寄りの前記外側部分を切り離した残りの前記中央部分が、所望の画像が形成された印画物として用いられる請求項１に記載の記録紙。
【請求項３】
前記印画物の形状が、長辺と短辺の比が約８５５対５４０の長方形である請求項２に記載の記録紙。
【請求項４】
前記印画物の大きさが、長辺の長さが約８５．５ｍｍであり、短辺の長さが約５４ｍｍの大きさである請求項３に記載の記録紙。
【請求項５】
前記印画物の四方端部の縁部の形状が円弧状である請求項２から４のいずれか１項に記載の記録紙。
【請求項６】
前記円弧の曲率半径が約４ｍｍである請求項５に記載の記録紙。
【請求項７】
請求項１から６のいずれか１項に記載の記録紙を用い、該記録紙の外側部分または中央部分を挟持して、記録ヘッドに対向する記録位置を通るように往復搬送しつつ、該記録ヘッドの記録動作により該記録紙の中央部分に実質的に全面に亙って記録画像を形成する工程と、
記録画像形成後に前記記録紙の前記外側部分を切り離して印画物を得る工程とを有する印画物形成方法。
【請求項８】
請求項１から６のいずれか１項に記載の記録紙と、
該記録紙上に画像記録を行う記録ヘッドと、該記録紙の外側部分または中央部分を挟持して、該記録紙の中央部分の実質的に全面を、該記録ヘッドに対向する記録位置に通すように搬送する搬送ローラ対とを有する記録装置とを含む印画システム。
【請求項９】
前記記録装置が、複数の加熱素子が設けられたサーマルヘッドを記録ヘッドとして有し、該サーマルヘッドによりインクが塗布されたインクシートを選択的に加熱し、該インクを記録紙に付着させて記録を行う転写記録装置である請求項８に記載の印画システム。
【請求項１０】
前記熱転写記録装置が、複数色のインクを用い、記録紙を往復移動させて複数色のインク像を重ねて形成し、カラーの記録画像を形成するものである請求項９に記載の印画システム。
【発明の詳細な説明】
【０００１】
【発明の属する技術分野】
本発明は、記録装置に使用される記録紙に関し、特に、記録紙を往復移動させて複数色の画像を重ねて形成し、カラー画像を得る画像記録装置により、画像が実質的に全面に亙って記録された特定の形状を有する印画物を得るための記録紙、印画物形成方法および印画システムに関する。
【０００２】
【従来の技術】
今日、デジタルビデオカメラやデジタルカメラなどの、画像データを容易に得られる機器の普及に伴い、得られた画像データに基づいて記録紙にカラー画像を形成するカラー画像記録装置の需要が高まっている。このようなカラー画像記録装置の記録方式としては、例えば熱転写方式などがある。熱転写方式の記録は、熱昇華性または熱溶融性のインクを塗布したインクシートを記録紙に近接させて配置し、これをサーマルヘッドで選択的に加熱し、昇華または溶融されたインクを記録紙に転写して記録紙にインク像を形成することにより行われる。このような熱転写方式の記録を行う熱転写記録装置、特に昇華型熱転写記録装置は、高画質なフルカラー画像を得ることができるため、デジタルカメラなどで得られた画像データに基づいて記録紙に記録を行う記録装置への適用が期待されている。
【０００３】
一方、フルカラーの高画質な画像を形成する装置としては、他に、写真画像を財布や手帳などに容易に貼付できる小さな形状のシール上に形成するプリクラ（商品名）や、容易に持ち運んで写真を撮ることができるレンズ付きフィルムなどが近年普及している。これらの普及により、高画質なフルカラー画像の印画物を財布や手帳に貼付または収納して日常携帯し、適宜鑑賞する、あるいは複数人で鑑賞し合ったり交換し合ったりするなどの目的で、このような印画物が利用されるようになってきた。
【０００４】
そこで、デジタルカメラなどを用いて作成する印画物についても、財布や手帳などに収納して日常携帯できる形状の印画物が求められており、このような印画物を形成できる印画システムが望まれている。より具体的には、テレホンカードやクレジットカードなどの普及に伴って、これらのサイズのカードを扱いやすく収納できる財布や手帳が普及していることから、これらのカードと同様の形状の印画物を形成できる印画システムが求められている。テレホンカードやクレジットカードの具体的な形状は、図９に示すように５４ｍｍ×８５．５ｍｍの長方形であり、その四方端部の縁部は曲率半径Ｒ＝４ｍｍの円弧状に丸められている。
【０００５】
カラー画像記録装置でこのような形状の印画物を得ようとする場合、熱転写記録装置などの複数色の画像を重ねてカラー画像を形成する記録装置では、一般的に、記録紙を往復移動させる必要が有り、したがって記録時に記録紙を離さずに支持する必要が有るため、記録紙の端部の少なくとも一部には画像を形成することができない。したがって、得られる印画物には余白部分ができ、すなわちカラー画像記録装置では、形成できる画像の大きさが制限され、銀塩写真のように全面に亙って画像が形成された印画物を得ることができない。
【０００６】
これに対して、カラー画像記録装置によって実質的に全面に亙って画像が形成された印画物を得る方法としては、図１０に示すような、記録紙の搬送方向の上流側と下流側に、外側部分２２ｂを容易に切取れるように、断続的な切れ目からなるミシン目２２を設けた記録紙を用いる方法が知られている。このようなミシン目２２を有する記録紙を用いることにより、図１１に示すように、ミシン目２２の外側部分２２ｂ以外の中央部分２２ａ全面に亙って画像を形成することができる。そこで、画像が形成された記録紙の外側部分２２ｂをミシン目２２から切り離して、図１２に示すように全面に亙って画像が形成された印画物を得ることができる。
【０００７】
【発明が解決しようとする課題】
しかしながら、従来の記録紙では、全面に亙って画像が形成された印画物を得ることはできるものの、その四方端部の縁部は、図１２に示すように角張った形状であった。このように四方端部の縁部が角張った印画物では、財布や手帳、カードケースなどの収納物に印画物を入れる際、印画物の端部が収納物に突き当たったり、引っ掛かったりして入れにくいなどの問題がある。
【０００８】
そこで本発明の目的は、記録紙を往復移動させて複数色の画像を重ねて形成しカラー画像を得るカラー画像形成装置に使用可能な記録紙であって、実質的に全面に亙って画像が形成されており、かつ収納物に収納する際に収納物に突き当たったり、引っ掛かったりすることのない、収納しやすい形状を有する印画物を得ることができる記録紙、印画物形成方法および印画システムを提供することにある。
【０００９】
【課題を解決するための手段】
前述の課題を解決するため、本発明による記録紙は、記録紙に記録を行うための記録ヘッド及び記録紙を挟持し、搬送するための搬送ローラ対を有する記録装置に用いられる記録紙であって、実質的に四角形であり、端部近傍に、四角形を実質的に横断する断続的な切れ目からなり、切れ目より端部寄りの外側部分と切れ目より中央寄りの実質的に四角形の中央部分とを容易に切り離すことができるようにするためのミシン目を有する、記録装置により記録を行うための記録紙において、
中央部分が隣り合う辺を滑らかに接続している曲線状縁部を四方端部に有し、外側部分が、１対の曲線状縁部の間に位置する直線部分を介して該中央部分と連結され、該直線部分を一辺とする長方形の形状を有しており、直線部分にミシン目が設けられており、外側部分は中央部分の２組の向かい合った２辺のうちの１組とミシン目を介して接続しており、中央部分の向かい合った２辺の他の１組は他の記録紙と接続しておらず、該外側部分は記録が終了するまで該搬送ローラ対が記録紙を放さずに挟持するためのものであり、該２つの外側部分のいずれの側から搬送しても該中央部分全面に記録可能であることを特徴とする。
【００１１】
この構成によれば、記録装置により記録を行う際に、ミシン目より端部寄りの外側部分を、適正な記録位置に記録紙を導くための挟持部とすることができ、したがって記録紙のミシン目より内側の中央部分に、実質的に全面に亙って画像を形成できる。画像を形成した後、記録紙の外側部分を容易に切り離すことができ、これにより、画像が実質的に全面に亙って記録された印画物を得ることができる。得られた印画物は、四方端部に曲線状の縁部を有する四角形の形状を有しており、すなわち収納物に収納する際に収納物に突き当たったり、引っ掛かったりすることのない、収納しやすい形状を有している。
【００１２】
ミシン目は、両端部付近に設けることにより、記録装置にセットする際に記録紙の方向性を考慮しなくても良い、扱いやすい記録紙とすることができる。
【００１３】
ミシン目の外側部分を切り離した印画物の形状は、長辺と短辺の比が約８５５対５４０の長方形とすることが好ましい。特に、長辺の長さを約８５．５ｍｍとし、短辺の長さを約５４ｍｍとすれば、テレホンカードやクレジットカードと同じ大きさであり、テレホンカードなどを収納しやすいように構成された財布や手帳などの収納物への収納に便利な印画物を得ることができる。
【００１４】
ミシン目の外側部分を切り離した後の四方端部の縁部の形状は円弧状にすることが好ましい。この円弧の曲率半径を、特に、４ｍｍとすれば、テレホンカードやクレジットカードと同様の形状の、収納に便利な印画物を得ることができる。
【００１５】
本発明による印画物形成方法は、以上のような記録紙を用い、
記録紙の外側部分または中央部分を挟持して、記録ヘッドに対向する記録位置を通るように往復搬送しつつ、記録ヘッドの記録動作により該記録紙の中央部分に実質的に全面に亙って記録画像を形成する工程と、
記録画像形成後に記録紙の外側部分を切り離して印画物を得る工程とを有することを特徴とする。
【００１６】
本発明による印画システムは、前述のような記録紙と、
記録紙上に画像記録を行う記録ヘッドと、記録紙の外側部分または中央部分を挟持して、記録紙の、ミシン目より中央よりの中央部分の実質的に全面を、記録ヘッドに対向する記録位置に通すように搬送する搬送ローラ対とを有する記録装置とを含むことを特徴とする。
【００１７】
本発明による印画システムにおいては、特に、複数の加熱素子が設けられたサーマルヘッドを記録ヘッドとして有し、サーマルヘッドによりインクが塗布されたインクシートを選択的に加熱し、インクを記録紙に付着させて記録を行う熱転写記録装置を好適に用いることができる。
【００１８】
また、複数色のインクを用い、記録紙を往復移動させて複数色のインク像を重ねて記録を形成し、カラーの記録画像を形成する熱転写記録装置においては、複数色のインク像の記録位置を正確に合致させる必要が有り、このため、各色のインク像形成が終了するまでの間、記録紙を離さずに挟持しておく必要がある。そこで記録を行う必要がなく、かつ支持部とすることができる、ミシン目より端部寄りの部分を有する記録紙を用いる本発明の印画システムは、特にこのような記録装置を用いる印画システムに対して好適に適用可能である。
【００１９】
【発明の実施の形態】
以下に本発明の実施形態について図面を参照して説明する。
【００２０】
カラー画像の形成を行うカラー画像形成装置の例として、熱転写記録装置１の模式的側面図を図１に示す。熱転写記録装置１は、複数の記録紙Ｐを積載可能な用紙カセット２を有している。用紙カセット２の上方には、用紙カセット２に積載してセットされた記録紙Ｐから一枚ずつ分離して給紙する給紙ローラ３が設けられている。給紙ローラ３により記録紙が給送される位置には、記録時に記録紙Ｐを支持して往復移動させる搬送ローラ対４が設けられている。この往復移動が行われる部分には、記録紙Ｐを適正な記録位置に支持するプラテンローラ５と、インクシート８を記録紙Ｐに押圧するとともに選択的に加熱して記録を行うサーマルヘッド６とが対向して配置されている。サーマルヘッド６には、複数の加熱素子が一列に並んで設けられている。インクシート８は、インクカセット７に収納されており、記録時にサーマルヘッド８の記録紙に対向する面の前を通して搬送可能になっている。記録紙Ｐの排紙位置には、記録紙Ｐを熱転写記録装置１外に排紙する排紙ローラ対９が設けられている。
【００２１】
インクシート８は、熱溶融性インクまたは熱昇華性インクが塗布された、イエロー（Ｙ）、マゼンタ（Ｍ）、シアン（Ｃ）の各色のインク層と、記録紙の印画面を保護するために印画面上にオーバーコートされる保護物が設けられたオーバーコート層とを有している。各インク層とオーバーコート層は、記録紙Ｐの印画領域の幅とほぼ等しい幅を有しており、インクシート８の搬送方向に順に並んで設けられている。
【００２２】
次に、この熱転写記録装置１による画像の記録動作について説明する。
【００２３】
用紙カセット２に積載された記録紙Ｐが、給紙ローラ３によって一枚ずつ分離され搬送ローラ対４のニップ部に給紙される。また、インクカセット７が、サーマルヘッド６の、記録面に対向する面の前に１色目のインク層が配置されるように駆動される。記録紙Ｐが搬送ローラ対４に支持され搬送されて記録開始位置に達した後、サーマルヘッド６の駆動と搬送ローラ対４による給送とが画像データに応じて選択的に行われ、１色目の画像が形成される。
【００２４】
１色目の画像形成が終了した後、記録紙Ｐは搬送ローラー対４の駆動によって記録開始位置に戻され、また、インクカセット７が、サーマルヘッド６の、記録面に対向する面の前に２色目のインク層が配置されるように駆動される。その後、１色目の画像形成と同様にサーマルヘッド６の駆動と搬送ローラ対４による給送とが画像データに応じて選択的に行われ、２色目の画像が１色目の画像の上に重ねて形成される。
【００２５】
このようにして、３色の画像が順番に重ねて形成され、さらにその上にオーバーコート層が形成されてカラー画像が形成される。カラー画像が形成された記録紙Ｐは、排紙ローラ対９により熱転写記録装置１外に排出され、記録動作が終了する。
【００２６】
このように、通常の熱転写記録装置１では、複数色の画像を重ねて形成することによりカラー画像が形成されるため、各色の記録位置を正確に合致させる必要が有る。そこで、各色の画像形成が終了するまでの間、搬送ローラ対４により記録紙Ｐを離さずにしっかり挟持して搬送を行う必要がある。そこで、記録紙Ｐを搬送ローラ対４により挟持して往復移動させる際、記録紙Ｐの、図１の右側への移動は、記録紙Ｐの左端が搬送ローラ対に挟持される範囲内でしか行うことができない。したがって、記録紙Ｐの左端付近を記録位置まで導くことができないので、記録紙Ｐの左端付近は余白として残ってしまう。このように、記録紙Ｐの端部には記録不可能な余白部が通常必要になる。
【００２７】
次に、熱転写記録装置１に用いられる、第１の参考例の記録紙について図２〜４を参照して説明する。
【００２８】
図２に示すように、この記録紙はほぼ長方形の形状を有しており、長辺方向の両端付近に、短辺方向の全幅に亙って延びる、断続的な切れ目からなるミシン目１２が設けられている。このミシン目１２の両側に力を加えるなどすることにより、ミシン目１２から外側の外側部分１２ｂを容易に切り離すことができる。各ミシン目１２は、中央部では記録紙の短辺方向に真っ直ぐ延びる直線部分となっており、両端部で記録紙の、長辺方向の中心に向かう方向に滑らかに曲がり、記録紙の上下の長辺に滑らかに接続するように延びる曲線部分となっている。すなわち、ミシン目１２は、外側部分１２ｂを切り離すことによって、記録紙の中央部分１２ａが四方端部の縁部が丸められた形状になるように形成されている。
【００２９】
この記録紙に記録を行う場合、外側部分１２ｂを記録紙の往復移動を行う際の挟持部として利用して、図３（Ｂ）に示すように、記録紙のミシン目１２より内側の中央部分１２ａに実質的に全面に亙って記録画像を形成することができる。すなわち、熱転写記録装置１において、本参考例の記録紙を搬送ローラ対４によって図１の右側に搬送していくと、左側のミシン目１２より外側の外側部分１２ｂを搬送ローラ対４によって挟持して、記録紙のミシン目１２より内側の中央部分１２ａの左端部をサーマルヘッド６に対向する位置に導くことができ、したがって、記録紙のミシン目１２より内側の中央部分１２ａに実質的に全面に亙って記録画像を形成できる。
【００３０】
このように記録が行われ、排紙された記録紙のミシン目１２より外側の外側部分１２ｂを切り離すことにより、切り離されて残った中央部分１２ａを、図４（Ｂ）に示すように全面に亙って画像が形成された印画物とすることができる。得られる印画物は、ミシン目１２が前述のように構成されているため、四方端部の縁部が丸められた形状を有しており、すなわち、収納物に突き当たったり、引っ掛かったりすることのない、収納しやすい印画物を得ることができる。
【００３１】
なお、本参考例の記録紙によると、ミシン目１２の外側部分１２ｂを切り離した後の印画物は、短辺の長さが５４ｍｍ、長辺の長さが８５．５ｍｍのサイズになる。この大きさは、図９に示す、テレホンカードやクレジットカードと同じ大きさであり、財布や手帳に収納して持ち運ぶのに便利な大きさである。このように、外側部分１２ｂを切り離した後に、長辺と短辺の長さの比が約８５５対５４０となるような位置にミシン目を形成することが望ましい。
【００３２】
ミシン目１２の外側部分１２ｂを切り離した後の印画物の四方端部の縁部の形状は、円弧状にすることが望ましい。特に、四方端部の縁部が、テレホンカードやクレジットカードと同様に、曲率半径Ｒ＝４ｍｍの円弧状となるように構成することが望ましい。
【００３３】
また、図３（Ａ）、図４（Ａ）に示す画像は、一般によく用いられるアスペクト比４：３の画像を、記録紙の短辺方向の全幅に亙って画像が形成されるように記録を行った例を示している。このとき記録画像のサイズは短辺５４ｍｍ、長辺７２ｍｍとなり、ミシン目１２の外側の切離後の記録紙の中央部分１２ａにおいて、長辺方向に１３．５ｍｍの余白が生じる。本参考例ではこの余白を前後に振り分け、前後それぞれに６．７５ｍｍの余白部を設けた。このように、本発明によって、ミシン目１２の内側の中央部分１２ａのほぼ全面に亙って画像が形成された印画物を得ることができる。印画物の余白が小さくても問題にはならない。
【００３４】
また、ミシン目１２を片側のみに設けた記録紙とすることもできるが、本参考例のように両端にミシン目１２を設けた記録紙を用いることにより、使用者は、記録紙を用紙カセットに入れる際、記録紙の方向に注意しなくても容易に記録紙をセットできる。
【００３５】
次に、本発明の第２の参考例の記録紙を図５，６に示す。この記録紙はほぼ長方形の形状を有しており、長辺方向の両端付近に、短辺方向に真っ直ぐに延びるミシン目１３が設けられている。ミシン目１３が長辺と交わる上下の部分には、ミシン目１３と記録紙の長辺とに滑らかに接続し、記録紙の外側に向かって凸な滑らかな曲線状の縁部を有する切り込み部が設けられている。ミシン目１３より外側の外側部分１３ｂは、第１の参考例と同様に容易に切り離すことができ、切り離すことにより記録紙の中央部分１３ａを四方端部の縁部が丸められた形状にすることができる。
【００３６】
この記録紙に第１の参考例と同様に画像記録を行うことにより、図６（Ｂ）に示すように、記録紙のミシン目１３より内側の中央部分１３ａに実質的に全面に亙って記録画像を形成することができる。このように記録が行われた記録紙のミシン目１３より外側の外側部分１３ｂを切り離すことにより、第１の参考例と同様に、中央部分１３ａを、図４（Ｂ）に示すような、実質的に全面に亙って画像が形成された、四方端部の縁部が丸められた形状の印画物とすることができる。
【００３７】
なお、本参考例においても第１の参考例と同様に、記録紙としては、ミシン目１２の外側部分１３ｂを切り離した後、中央部分１３ａの短辺の長さが５４ｍｍ、長辺の長さが８５．５ｍｍになるサイズになるものを用いた。また、図６（Ａ）に示す画像は、アスペクト比４：３の画像を、記録紙の短辺方向の全幅に亙って画像が形成されるように記録した例を示している。このとき記録画像のサイズは短辺５４ｍｍ、長辺７２ｍｍとなり、ミシン目１３の外側部分１３ｂの切離後の記録紙の中央部分１３ａにおいて、長辺方向に生じる１３．５ｍｍの余白を前後に振り分け、前後それぞれに６．７５ｍｍの余白部を設けている。
【００３８】
次に本発明の実施例の記録紙を図７，８に示す。この記録紙は、ほぼ長方形状であり、その短辺と長辺とに滑らかに接続している、記録紙の外側に向かって凸な滑らかな曲線状の縁部を四方端部に有する中央部分１４ａと、その両端に設けられている外側部分１４ｂとを有している。外側部分１４ｂは、中央部分１４ａの曲線状になった部分同士を短辺方向に結ぶ直線部分を一辺とするほぼ長方形の形状であり、中央部分１４ａと外側部分１４ｂとの接続部には、短辺方向に真っ直ぐに延びるミシン目１４がそれぞれ設けられている。外側部分１４ｂはミシン目１４から容易に切り離すことができ、切り離すことにより記録紙を四方端部の縁部が丸められた形状にすることができる。
【００３９】
この記録紙に第１の参考例と同様に画像記録を行うことにより、図８（Ｂ）に示すように、記録紙のミシン目１４より内側の中央部分１４ａに実質的に全面に亙って記録画像を形成することができる。このように記録が行われた記録紙の外側部分１４ｂをミシン目１４から切り離すことにより、第１の参考例と同様に、図４（Ｂ）に示すような、実質的に全面に亙って画像が形成された、四方端部の縁部が丸められた形状の印画物を得ることができる。
【００４０】
なお、本実施例においても第１の参考例と同様に、記録紙としては、外側部分１４ｂをミシン目１４から切り離した後、中央部分１４ａの短辺の長さが５４ｍｍ、長辺の長さが８５．５ｍｍになるサイズになるものを用いた。また、図８（Ａ）に示す画像は、アスペクト比４：３の画像を、記録紙の短辺方向の全幅に亙って画像が形成されるように記録した例を示している。このとき記録画像のサイズは短辺５４ｍｍ、長辺７２ｍｍとなり、外側部分１４ｂの切離後の記録紙の中央部分１４ａにおいて、長辺方向に生じる１３．５ｍｍの余白を前後に振り分け、前後それぞれに６．７５ｍｍの余白部を設けている。
【００４１】
【発明の効果】
以上説明したように、本発明によれば、収納物に突き当たったり、引っ掛たりして、入れずらいなどの問題が生じることがない、財布や手帳、カードケースなどの収納物に収納しやすい形状を有し、かつ、実質的に全面に亙って画像が形成された印画物を得ることができる。
【図面の簡単な説明】
【図１】本発明の実施形態において用いられる熱転写記録装置の模式的側面図である。
【図２】  本発明の第１の参考例のミシン目付き記録紙を示す図である。
【図３】  記録を行った後の、図２の記録紙を示す図である。
【図４】本発明の実施形態により得られる印画物を示す図である。
【図５】  本発明の第２の参考例のミシン目付き記録紙を示す図である。
【図６】記録を行った後の、図５の記録紙を示す図である。
【図７】  本発明の実施例のミシン目付き記録紙を示す図である。
【図８】記録を行った後の、図７の記録紙を示す図である。
【図９】テレホンカードやクレジットカードの大きさおよび形状を示す図である。
【図１０】従来のミシン目付き記録紙を示す図である。
【図１１】記録を行った後の、図１０の記録紙を示す図である。
【図１２】記録を行い、ミシン目より外側の外側部分を切り離した後の、図１０の記録紙を示す図である。
【符号の説明】
１    熱転写記録装置
２    用紙カセット
３    給紙ローラ
４    搬送ローラ対
５    プラテンローラ
６    サーマルヘッド
７    インクカセット
８    インクシート
９    排紙ローラ対
１２，１３，１４，２２    ミシン目
Ｐ    記録紙
【図１】
0003880284.tif 000002
【図２】
0003880284.tif 000003
【図３】
0003880284.tif 000004
【図４】
0003880284.tif 000005
【図５】
0003880284.tif 000006
【図６】
0003880284.tif 000007
【図７】
0003880284.tif 000008
【図８】
0003880284.tif 000009
【図９】
0003880284.tif 000010
【図１０】
0003880284.tif 000011
【図１１】
0003880284.tif 000012
【図１２】
0003880284.tif 000013